(57)【要約】【課題】ケーブル特性が梱包後に変動することを抑制することができるケーブルの梱包方法およびケーブル梱包体を提供する。【解決手段】蒸気の透過を抑制するシート２１を用いて一辺に開口を有する形状に形成された梱包袋２０の内部に高速伝送ケーブル１０を入れ、かつ、梱包袋２０の内部に相対湿度が２０％以上８０％以下であり温度が１０℃以上３５℃以下の気体４０を導き入れる袋詰工程と、梱包袋２０における開口を閉じて密封させる密封工程と、を有する。【選択図】  図１
2017222408.tif 000002
【特許請求の範囲】
【請求項１】
蒸気の透過を抑制するシートを用いて一辺に開口を有する形状に形成された梱包袋の内部に高速伝送ケーブルを入れ、かつ、前記梱包袋の内部に相対湿度が２０％以上８０％以下であり温度が１０℃以上３５℃以下の気体を導き入れる袋詰工程と、
前記梱包袋における前記開口を閉じて密封させる密封工程と、
を有するケーブルの梱包方法。
【請求項２】
前記袋詰工程において前記梱包袋の内部に導き入れられる前記気体は、相対湿度が２０％以上６０％以下であり温度が１８℃以上２８℃以下である請求項１記載のケーブルの梱包方法。
【請求項３】
前記梱包袋の前記シートは、金属蒸着膜を有するものである請求項１または２に記載のケーブルの梱包方法。
【請求項４】
前記金属蒸着膜は、アルミニウムが蒸着されたものである請求項３記載のケーブルの梱包方法。
【請求項５】
高速伝送ケーブルと、
蒸気の透過を抑制するシートを用いて袋状に形状に形成され、前記高速伝送ケーブルが入れられた状態で密封された梱包袋と、
密封された前記梱包袋の内部に前記高速伝送ケーブルとともに封入された気体であって、前記梱包袋に導き入れられた際の相対湿度が２０％以上８０％以下であり温度が１０℃以上３５℃以下である気体と、
を有するケーブル梱包体。
【請求項６】
前記気体は、前記梱包袋に導き入れられた際の相対湿度が２０％以上６０％以下であり温度が１８℃以上２８℃以下である請求項５記載のケーブル梱包体。
【請求項７】
前記梱包袋の前記シートは、金属蒸着膜を有するものである請求項５または６に記載のケーブル梱包体。
【請求項８】
前記金属蒸着膜は、アルミニウムが蒸着されたものである請求項７記載のケーブル梱包体。
【発明の詳細な説明】
【技術分野】
【０００１】
本発明は、ケーブルの梱包方法およびケーブル梱包体に関する。
【背景技術】
【０００２】
例えば、ポリプロピレン等の樹脂から形成された袋に包装される回路基板では、付着金属性パターン表面の酸化や、樹脂から形成される基板の吸湿を防止する目的で、袋内に乾燥材を同封することが行われている（例えば、特許文献１参照。）。
【０００３】
これに対して、伝送用ケーブルは帯電防止袋内に収められ、帯電防止袋の口を折り曲げてテープで固定したり、帯電防止袋に設けられたレールファスナ等のファスナにより閉じたりして、包装されている。つまり、上述の基板とは異なり、湿度については特段の注意は払われていなかった。
【先行技術文献】
【特許文献】
【０００４】
【特許文献１】特開平５−０５１０７２号公報
【発明の概要】
【発明が解決しようとする課題】
【０００５】
近年では、伝送速度の高速化の要望の高まりに伴い、伝送速度が１０Ｇｂｉｔ／ｓ以上の高速伝送用ケーブルが実用化されつつある。これまでの伝送速度が高速化する以前の比較的伝送速度が遅い伝送用ケーブルにおいては、包装時に湿度に注意を払わなくても伝送特性が悪化するとは考えられていなかった。
【０００６】
しかしながら、発明者は、近年実用化されつつある高速伝送用ケーブルでは、梱包された後にケーブルが吸湿することにより特性が変動すること、特に伝送損失が増大し、これが問題になることを発見した。言い換えると、高速伝送用ケーブルは、これまでの比較的伝送速度が遅い伝送用ケーブルと比較して、伝送における基本周波数が高くなるため、吸湿の影響が伝送用ケーブルの特性に反映されやすくなり、伝送損失が増大することを発見した。
【０００７】
本発明は、上記の課題を解決するためになされたものであって、ケーブル特性が梱包後に変動することを抑制することができるケーブルの梱包方法およびケーブル梱包体を提供することを目的とする。
【課題を解決するための手段】
【０００８】
上記目的を達成するために、本発明は、以下の手段を提供する。
本発明の第１の態様に係るケーブルの梱包方法は、蒸気の透過を抑制するシートを用いて一辺に開口を有する形状に形成された梱包袋の内部に高速伝送ケーブルを入れ、かつ、前記梱包袋の内部に相対湿度が２０％以上８０％以下であり温度が１０℃以上３５℃以下の気体を導き入れる袋詰工程と、前記梱包袋における前記開口を閉じて密封させる密封工程と、を有する。
【０００９】
本発明の第２の態様に係るケーブル梱包体は、高速伝送ケーブルと、蒸気の透過を抑制するシートを用いて袋状に形状に形成され、前記高速伝送ケーブルが入れられた状態で密封された梱包袋と、密封された前記梱包袋の内部に前記高速伝送ケーブルとともに封入された気体であって、前記梱包袋に導き入れられた際の相対湿度が２０％以上８０％以下であり温度が１０℃以上３５℃以下である気体と、を有する。
【００１０】
本発明の第１の態様に係るケーブルの梱包方法、第２の態様に係るケーブル梱包体によれば、梱包袋に高速伝送ケーブルを入れ、相対湿度が２０％以上８０％以下であり温度が１０℃以上３５℃以下の気体とともに密封している。言い換えると、梱包された高速伝送ケーブルの周囲には、例えば、高速伝送ケーブルが製造された際の環境と同等の相対湿度を有する気体で占められる。これにより、梱包袋の外部から蒸気が内部に透過し、梱包された高速伝送ケーブルの周囲の気体の相対湿度が大きく変動することが抑制され、高速伝送ケーブルにおける吸湿状態が大きく変動することが抑制される。
【発明の効果】
【００１１】
本発明のケーブルの梱包方法およびケーブル梱包体によれば、梱包袋に高速伝送ケーブルを入れ、相対湿度が２０％以上８０％以下であり温度が１０℃以上３５℃以下の気体とともに密封しているため、梱包後にケーブル特性が変動することを抑制することができるという効果を奏する。
【図面の簡単な説明】
【００１２】
【図１】本発明の一実施形態に係る高速伝送ケーブル梱包体の構成を説明する模式図である。
【図２】図１の梱包袋の構成を説明する模式図である。
【図３】図２の梱包袋の他の構成を説明する模式図である。
【図４】高速伝送ケーブル梱包体を出荷する際の形態を説明する模式図である。
【図５】他の高速伝送ケーブル梱包体の構成を説明する模式図である。
【図６】図５の高速伝送ケーブル梱包体における帯電防止袋に梱包された高速伝送ケーブルの構成を説明する模式図である。
【図７】本実施形態の高速伝送ケーブル梱包体による高速伝送ケーブルの損失変化を説明するグラフである。
【図８】帯電防止袋で梱包した高速伝送ケーブルの損失変化を説明するグラフである。
【図９】露出した高速伝送ケーブルの損失変化を説明するグラフである。
【図１０】露出した高速伝送ケーブルの損失変化を説明するグラフである。
【発明を実施するための形態】
【００１３】
この発明の一実施形態に係る高速伝送ケーブル梱包体および高速伝送ケーブルの梱包方法について、図１から図１０を参照しながら説明する。まず、高速伝送ケーブル梱包体１の構成について説明する。
【００１４】
本実施形態の高速伝送ケーブル梱包体（ケーブル梱包体）１は、図１に示すように、梱包対象である高速伝送ケーブル１０を梱包袋２０に密封したものである。例えば、高速伝送ケーブル１０の製造元である工場から、使用現場であるデータセンタ等までの輸送する際の形態である。データセンタ等では、高速伝送ケーブル梱包体１の梱包袋２０を破り、中から高速伝送ケーブル１０を取出して使用する。
【００１５】
高速伝送ケーブル梱包体１は、梱包袋２０と、梱包袋２０に梱包される高速伝送ケーブル１０と、高速伝送ケーブル１０とともに梱包袋２０に密封される空気（気体）４０と、から主に構成されている。
【００１６】
梱包袋２０は、図２に示すように、筒状に形成されたシート２１の一方（図２における下側）が予め閉じられ、他方（図２における上側）が開口とされたものである。シート２１は蒸気の透過を抑制するものであり、ポリエチレンなどの樹脂層と、樹脂層にアルミニウムを蒸着させた金属蒸着膜と、を少なくとも有するものである。
【００１７】
また、梱包袋２０の開口は、梱包袋２０の内部に高速伝送ケーブル１０および空気４０が入れられた状態で封止部２２において密封処理される。本実施形態では、封止部２２において加熱および押圧され、対向するシート２１の一部が溶融して接合されている例に適用して説明する。なお、梱包袋２０における密封処理は、上述の処理に限定されるものではなく、粘着剤が塗布された粘着面を貼り合わせる処理や、梱包袋２０の開口側の端を折り曲げて隙間を形成することなく粘着させる処理などの処理であってもよい。
【００１８】
なお、本実施形態では、梱包袋２０を構成するシート２１が金属蒸着膜を有するものである例に適用して説明するが、蒸気の透過を抑制するものであればどのような材料から形成されたものであってもよい。例えば、ナイロン（登録商標）などに代表されるポリアミド合成樹脂や、その他の樹脂から形成された膜を有するシート２１であってもよい。
【００１９】
また、本実施形態では、シート２１の金属蒸着膜が、アルミニウムが蒸着されたものである例に適用して説明するが、蒸気の透過を抑制するものであればどのような金属材料を蒸着したものであってもよい。例えば、銅を蒸着した金属蒸着膜であってもよい。
【００２０】
さらに、本実施形態では、梱包袋２０が図２に示すように筒状に形成されたシート２１の一方の端部が予め閉じられた形状に形成された例に適用して説明するが、図３に示すように、筒状に形成されたシート２１の一方の端部に矩形状に形成された底シート２３が設けられた形状に形成されたものであってもよい。
【００２１】
高速伝送ケーブル１０は、データセンタ等に設置される情報処理装置の間をつなぐケーブルであって、図１に示すように、ケーブル本体１１と、ケーブル本体１１の端部に情報処理装置に接続されるコネクタ１２が設けられたものである。また、本実施形態では、高速伝送ケーブル１０が、例えば、１０ギガビットイーサネット接続（１０ＧＢＡＳＥ−Ｔ、イーサネットは登録商標）に対応するものである例に適用して説明する。
【００２２】
本実施形態では、ケーブル本体１１としては、太さが３０ＡＷＧ（Ａｍｅｒｉｃａｎ  Ｗｉｒｅ  Ｇａｕｇｅ）の信号線を中実（ソリッド）ポリエステル（以下「ＰＥ」とも表記する。）で被覆したケーブルや、２６ＡＷＧの信号線を発泡ＰＥで被覆したケーブル等である例に適用して説明する。
【００２３】
本実施形態では、コネクタ１２の形式等を特に限定するものではないが、１０ギガビットイーサネット接続に対応するものである例に適用して説明する。例えば、ＱＳＦＰ＋（Ｑｕａｄ  Ｓｍａｌｌ  Ｆｏｒｍ−ｆａｃｔｏｒ  Ｐｌｕｇｇａｂｌｅ  Ｐｌｕｓ）コネクタや、ＳＦＰ＋（Ｓｍａｌｌ  Ｆｏｒｍ−ｆａｃｔｏｒ  Ｐｌｕｇｇａｂｌｅ  Ｐｌｕｓ）コネクタなどを例示することができる。
【００２４】
空気４０は、高速伝送ケーブル１０とともに梱包袋２０に密封されるものである。空気４０は、梱包袋２０に導入される際に、相対湿度が２０％以上８０％以下であり温度が１０℃以上３５℃以下の条件を満たすもの、より好ましくは、相対湿度が２０％以上６０％以下であり温度が１８℃以上２８℃以下の条件を満たすものである。
【００２５】
本実施形態では、高速伝送ケーブル１０とともに梱包袋２０に密封されるものが空気である例に適用して説明したが、空気に限定されるものではなく、気体窒素のように単一の分子から構成された気体であってもよいし、複数の分子から構成された気体であってもよい。
【００２６】
次に、本実施形態の高速伝送ケーブル梱包体１における梱包方法について説明する。
まず、梱包袋２０の内部に、高速伝送ケーブル１０および空気４０を入れる袋詰工程が行われる。梱包袋２０に入れられる高速伝送ケーブル１０の数は１つである。高速伝送ケーブル１０を梱包袋２０に入れる方法としては、公知の方法を用いることができ、特にその方法を限定するものではない。
【００２７】
また、本実施形態では、梱包袋２０に高速伝送ケーブル１０を入れる周囲の環境が、梱包袋２０に密封される空気４０と同じ条件とされている例に適用して説明する。つまり、梱包袋２０に高速伝送ケーブル１０を入れる周囲が、相対湿度が２０％以上８０％以下であり温度が１０℃以上３５℃以下の条件を満たす空気である、より好ましくは、相対湿度が２０％以上６０％以下であり温度が１８℃以上２８℃以下の条件を満たす空気である例に適用して説明する。このようにすることで、特別な操作を行うことなく梱包袋２０の内部に空気４０を導入することができる。
【００２８】
なお、袋詰工程において梱包袋２０の内部に空気４０を導入する送風装置などを用いてもよい。このようにすることで、梱包袋２０の内部に空気４０を確実に導入することができる。
【００２９】
さらに、梱包袋２０に密封される気体が空気４０ではなく、気体窒素など空気以外の気体である場合には、貯蔵容器から供給される気体窒素や、気体酸素や、気体アルゴンや、気体ヘリウムや、炭酸ガスなどの単一の分子から構成された気体、または、これら複数の気体が混合された気体（以下「気体窒素」等とも表記する。）が梱包袋２０に導入される。例えば、梱包袋２０に高速伝送ケーブル１０を入れた後、気体窒素などを導入することにより梱包袋２０の内部を気体窒素などで満たす方法を挙げることができる。この場合、梱包袋２０の外側の空気が内部に侵入する前に速やかに次に説明する密封工程が行われる。
【００３０】
袋詰工程が行われた後には密封工程が行われる。本実施形態の密封工程では、密封処理として、梱包袋２０の封止部２２に対して加熱および押圧による熱圧着処理が行われる。これにより、高速伝送ケーブル梱包体１が完成する。
【００３１】
封止部２２は梱包袋２０の開口を閉じるように設けられており、熱圧着処理によって、内部から外部への空気４０の流出や、外部から内部への空気の流入が遮断される。なお、熱圧着処理の具体的な内容については、公知の方法を用いることができ、特にその方法などを限定するものではない。
【００３２】
高速伝送ケーブル梱包体１は、図４に示すように、複数個をまとめて輸送用容器２５に梱包されて出荷される。輸送用容器２５としては、段ボール箱など公知の容器を用いることができ、特に限定するものではない。
【００３３】
なお、本実施形態では、１つの梱包袋２０に１つの高速伝送ケーブル１０が梱包される例に適用して説明したが、図５に示すように、１つの梱包袋２０Ａに複数の高速伝送ケーブル１０、例えば、２０個から３０個の高速伝送ケーブル１０が梱包されるものであってもよい。
【００３４】
図５に示す例において高速伝送ケーブル１０は、図６に示すように、帯電防止袋５０に個別に梱包されている。帯電防止袋５０に梱包された高速伝送ケーブル１０が２０個から３０個まとめられ、１つの梱包袋２０Ａに梱包されている。梱包袋２０Ａに梱包された複数の高速伝送ケーブル１０は、輸送用容器２５に梱包されて出荷される。
【００３５】
帯電防止袋５０は、高速伝送ケーブル１０を出し入れする開口が設けられた袋状のものである。高速伝送ケーブル１０が内部に入れられた状態で、開口側の端部が折り曲げられ、折り曲げた端部がテープ５１により止められている。なお、帯電防止袋５０としては、公知のものを用いることができ、その形状や、形成する材料や、特性などを特に限定するものではない。
【００３６】
なお梱包袋２０Ａは、梱包袋２０と比較して梱包可能な高速伝送ケーブル１０の数が異なるだけで、構成される材料などは同じものである。また、高速伝送ケーブル１０が梱包される方法についても同じである。
【００３７】
次に、本実施形態の高速伝送ケーブル梱包体１による高速伝送ケーブル１０の損失抑制について図７から図１０を参照しながら説明する。図７は、高速伝送ケーブル梱包体１による高速伝送ケーブル１０の損失抑制を説明するグラフである。
【００３８】
図７では、太さが３０ＡＷＧの信号線を中実ＰＥで被覆したケーブルを有する高速伝送ケーブルにおける損失の変化を示す複数のグラフＸと、２６ＡＷＧの信号線を発泡ＰＥで被覆したケーブルを有する高速伝送ケーブルにおける損失の変化を示す複数のグラフＹと、がしめされている。図７における初期状態とは、高速伝送ケーブル梱包体１の周囲の空気が相対湿度５０％であり、温度２５℃の状態を意味している。
【００３９】
初期状態から、高速伝送ケーブル梱包体１の周囲の空気の相対湿度を９０％、温度４０℃の状態とし、１６８時間放置した後に梱包されていた高速伝送ケーブル１０の損失を計測したのが、図７における右側の測定点である。グラフＸにおいても、グラフＹにおいても高速伝送ケーブル１０の損失は、初期状態を概ね同じ値となっていることが分かる。
【００４０】
同じ高速伝送ケーブル１０を帯電防止袋５０で梱包したものに対して同様な試験を行った結果を示したのが図８である。グラフＸおよびグラフＹで用いた高速伝送ケーブルの種類は図７と同じであり、初期状態が示す意味も図７と同じである。
【００４１】
帯電防止袋５０で梱包された高速伝送ケーブル１０を、初期状態から、周囲の空気が相対湿度９０％、温度４０℃の環境下で１６８時間放置した後に梱包されていた高速伝送ケーブル１０の損失を計測したのが、図８における中央の測定点である。初期状態から、周囲の空気が相対湿度９０％、温度４０℃の環境下で３３６時間放置した後に梱包されていた高速伝送ケーブル１０の損失を計測したのが、図８における右側の測定点である。
【００４２】
グラフＸにおいても、グラフＹにおいても高速伝送ケーブル１０の損失は時間の経過とともに増大している。つまり、湿度の吸収により高速伝送ケーブル１０の損失が増大していることが分かる。さらに、図７と図８とを比較すると、高速伝送ケーブル梱包体１によって、高速伝送ケーブル１０における損失が抑制されていることが分かる。
【００４３】
高速伝送ケーブル１０を露出させた状態で同様な試験を行った結果を示したのが図９および図１０である。図９および図１０における初期状態が示す意味は、図７と同じである。
【００４４】
露出した高速伝送ケーブル１０を、初期状態から、周囲の空気が相対湿度７５％、温度２５℃の環境下で２４時間放置した後に、高速伝送ケーブル１０の損失を計測した結果を示しているのが図９のグラフである。また、露出した高速伝送ケーブル１０を、初期状態から、周囲の空気が相対湿度６０％、温度４０℃の環境下で３６時間放置した後に、高速伝送ケーブル１０の損失を計測した結果を示しているのが図１０のグラフである。
【００４５】
図９のグラフおよび図１０のグラフ共に、高速伝送ケーブル１０の損失は初期状態から増大していることが分かる。また、図７と、図９および図１０とを比較すると、高速伝送ケーブル梱包体１によって、高速伝送ケーブル１０における損失が抑制されていることが分かる。
【００４６】
上記の構成の高速伝送ケーブル梱包体１、高速伝送ケーブル１０の梱包方法は、梱包袋２０に高速伝送ケーブル１０を入れ、相対湿度が２０％以上８０％以下であり温度が１０℃以上３５℃以下の空気４０とともに密封している。言い換えると、梱包された高速伝送ケーブル１０の周囲には、例えば、高速伝送ケーブル１０が製造された際の環境と同等の相対湿度を有する空気４０で占められる。これにより、梱包袋２０の外部から蒸気が内部に透過し、梱包された高速伝送ケーブル１０の周囲の気体の相対湿度が大きく変動することが抑制され、高速伝送ケーブル１０における吸湿状態が大きく変動することが抑制される。その結果として、梱包後に高速伝送ケーブル１０の特性変動が抑制される。
【００４７】
さらに、高速伝送ケーブル１０とともに梱包袋に封入される空気４０の状態を、相対湿度が２０％以上６０％以下であり温度が１８℃以上２８℃以下とすることにより、高速伝送ケーブル１０における吸湿状態の変動をさらに抑制しやすくなる。
【００４８】
梱包袋２０を、金属蒸着膜を有するシート２１から形成することにより、蒸気の透過をより抑制しやすくなる。さらに、金属蒸着膜としてアルミニウムが蒸着されたものを用いることにより、比較的低いコストで蒸気の透過を抑制することができる。
【００４９】
なお、本発明の技術範囲は上記実施形態に限定されるものではなく、本発明の趣旨を逸脱しない範囲において種々の変更を加えることが可能である。例えば、本発明を上記の実施形態に適用したものに限られることなく、これらの実施形態を適宜組み合わせた実施形態に適用してもよく、特に限定するものではない。
【符号の説明】
【００５０】
１…高速伝送ケーブル梱包体（ケーブル梱包体）、１０…高速伝送ケーブル、２０…梱包袋、４０…空気（気体）
【図１】
2017222408.tif 000003
【図２】
2017222408.tif 000004
【図３】
2017222408.tif 000005
【図４】
2017222408.tif 000006
【図５】
2017222408.tif 000007
【図６】
2017222408.tif 000008
【図７】
2017222408.tif 000009
【図８】
2017222408.tif 000010
【図９】
2017222408.tif 000011
【図１０】
2017222408.tif 000012